【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
結像光学系の異なる瞳領域を通過した光を受光する複数の画素を配列した撮像素子と、
前記画素で取得された画素信号を用いて、前記異なる瞳領域に対応する複数の焦点検出信号を生成する生成手段と、
前記複数の焦点検出信号に基づいて像ずれ量を算出し、像ずれ量と変換係数からデフォーカス量を検出する検出手段と、を有する検出装置であって、
前記検出手段は、前記撮像素子の情報と、前記結像光学系の複数の枠の開口情報と、に基づいて前記変換係数を取得することを特徴とする検出装置。
【請求項２】
前記撮像素子の情報は、前記撮像素子の瞳偏心量と、前記撮像素子の入射瞳距離であることを特徴とする請求項１に記載の検出装置。
【請求項３】
前記検出手段は前記瞳偏心量と、前記撮像素子の入射瞳距離と、前記結像光学系の複数の枠の開口情報と、に基づいて瞳部分領域を決定し、前記瞳部分領域に基づいて前記変換係数を取得することを特徴とする請求項２に記載の検出装置。
【請求項４】
前記瞳偏心量は、前記撮像素子の製造中のバラつきを含むことを特徴とする請求項２または３に記載の検出装置。
【請求項５】
前記撮像素子に配列された複数の画素から、所定の取得条件で前記画素信号を取得する取得手段をさらに備え、
前記検出手段は前記取得条件にあわせて前記変換係数を取得することを特徴とする請求項１乃至４のいずれか１項に記載の検出装置。
【請求項６】
前記結像光学系の複数の枠の開口情報は、前記結像光学系に含まれる複数の枠の中心と半径に基づくことを特徴とする請求項１乃至５のいずれか１項に記載の検出装置。
【請求項７】
前記開口情報には、前記結像光学系に含まれる絞り枠が含まれることを特徴とする請求項１乃至６のいずれか１項に記載の検出装置。
【請求項８】
前記撮像素子の情報と、前記結像光学系の複数の枠の開口情報とに基づいて取得した前記変換係数を記憶する記憶手段をさらに備えることを特徴とする請求項１乃至７のいずれか１項に記載の検出装置。
【請求項９】
前記変換係数を前記結像光学系の複数の枠の開口情報の関数とした際の係数を記憶する記憶手段をさらに備え、
前記検出手段は前記係数を用いて前記変換係数を取得することを特徴とする請求項１乃至８のいずれか１項に記載の検出装置。
【請求項１０】
請求項１乃至９のいずれか１項に記載の検出装置と、
前記検出手段が検出したデフォーカス量に基づいて、前記結像光学系の移動を制御する制御手段と、を備えることを特徴とする撮像装置。
【請求項１１】
前記結像光学系を着脱可能に装着するためのマウント部と、
前記マウント部を介して前記結像光学系と通信する通信手段と、をさらに備え、
前記通信手段は、前記撮像素子から画像信号を取得するタイミングまたは所定の周期で通信を行い、前記結像光学系の複数の枠の開口情報を前記結像光学系より取得することを特徴とする請求項１０に記載の撮像装置。
【請求項１２】
撮像素子を有する撮像部に着脱可能に構成されたレンズ装置であって、
前記撮像素子からの出力に基づいて算出された像ずれ量をデフォーカス量に変換する変換係数の取得に用いる複数の枠の開口情報を保持するメモリと、
前記撮像部においてデフォーカス量を算出するための前記複数の枠の開口情報を送信する送信手段と、を備えることを特徴とするレンズ装置。
【請求項１３】
前記複数の枠の開口情報は、各像高に対応する情報であることを特徴とする請求項１２に記載のレンズ装置。
【請求項１４】
前記複数の枠の開口情報は、各絞り値に対応する情報であることを特徴とする請求項１２または１３に記載のレンズ装置。
【請求項１５】
前記複数の枠の開口情報は、各フォーカス状態に対応する情報であることを特徴とする請求項１２乃至１４のいずれか１項に記載のレンズ装置。
【請求項１６】
前記複数の枠の開口情報は、各ズーム状態に対応する情報であることを特徴とする請求項１２乃至１５のいずれか１項に記載のレンズ装置。
【請求項１７】
結像光学系の異なる瞳領域を通過した光を光電変換して得られた画素信号に基づいてデフォーカス量の算出を行う検出装置であって、
前記画素信号に基づいて、前記異なる瞳領域に対応する複数の焦点検出信号を生成する生成手段と、
前記生成手段が生成した複数の焦点検出信号に基づく検出像ずれ量と、変換係数からデフォーカス量を算出する算出手段と、を備え、
前記算出手段は、仮想のデフォーカス量を設定して前記異なる瞳領域に対応する複数の仮想の焦点検出信号を生成し、前記仮想の焦点検出信号の相関量から仮想の像ずれ量を算出し、前記仮想の像ずれ量と前記仮想のデフォーカス量とから、前記変換係数を決定することを特徴とする検出装置。
【請求項１８】
複数の条件で仮想のデフォーカス量を設定し、かつ前記異なる瞳領域に対応する複数の仮想の焦点検出信号を生成し、前記複数の仮想の焦点検出信号の相関量から複数の仮想の像ずれ量を算出し、前記複数の仮想の像ずれ量と前記仮想のデフォーカス量とから、前記変換係数を算出することを特徴とする請求項１７に記載の検出装置。
【請求項１９】
結像光学系の異なる瞳領域を通過した光を受光する複数の画素を配列した撮像素子からの画素信号を用いて、前記異なる瞳領域に対応する複数の焦点検出信号を生成する生成ステップと、
前記複数の焦点検出信号に基づいて像ずれ量を算出し、像ずれ量と変換係数からデフォーカス量を検出する検出ステップと、を有する検出方法であって、
前記検出ステップでは、前記撮像素子の情報と、前記結像光学系の複数の枠の開口情報と、に基づいて前記変換係数を取得することを特徴とする検出方法。
【請求項２０】
結像光学系の異なる瞳領域を通過した光を光電変換して得られた画素信号を用いて焦点検出を行う検出方法であって、
前記画素信号を取得する取得ステップと、
前記画素信号を用いて、前記異なる瞳領域に対応する複数の焦点検出信号を生成する信号生成ステップと、
前記複数の焦点検出信号に基づいて検出像ずれ量を算出し、検出像ずれ量と変換係数から検出デフォーカス量を検出する焦点検出ステップと、を有し、
前記焦点検出ステップは、
仮想のデフォーカス量を設定して前記異なる瞳領域に対応する複数の仮想の焦点検出信号を生成し、
前記仮想の焦点検出信号の相関量から仮想の像ずれ量を算出し、
前記仮想の像ずれ量と前記仮想のデフォーカス量とから、前記変換係数を算出することを特徴とする検出方法。
【請求項２１】
結像光学系の異なる瞳領域を通過した光を光電変換する撮像素子から得られた画素信号を用いて焦点検出を行う検出装置を制御するための焦点検出プログラムであって、
コンピュータを、
前記画素で取得された画素信号を用いて、前記異なる瞳領域に対応する複数の焦点検出信号を生成する生成手段と、
前記複数の焦点検出信号に基づいて像ずれ量を算出し、像ずれ量と変換係数からデフォーカス量を検出する検出手段、として機能させ、
前記検出手段は、前記撮像素子の情報と、前記結像光学系の複数の枠の開口情報と、に基づいて前記変換係数を取得することを特徴とする焦点検出プログラム。
【請求項２２】
結像光学系の異なる瞳領域を通過した光を光電変換して得られた画素信号を用いて焦点検出を行う検出装置を制御するための焦点検出プログラムであって、
コンピュータを、
前記画素信号を取得する取得手段と、
前記画素信号を用いて、前記異なる瞳領域に対応する複数の焦点検出信号を生成する信号生成手段と、
前記複数の焦点検出信号に基づいて検出像ずれ量を算出し、検出像ずれ量と変換係数から検出デフォーカス量を検出する焦点検出手段、として機能させ、
前記焦点検出手段は、
仮想のデフォーカス量を設定して前記異なる瞳領域に対応する複数の仮想の焦点検出信号を生成し、
前記仮想の焦点検出信号の相関量から仮想の像ずれ量を算出し、
前記仮想の像ずれ量と前記仮想のデフォーカス量とから、前記変換係数を算出する、
ことを特徴とする焦点検出プログラム。
【請求項２３】
請求項２１または請求項２２の焦点検出プログラムを記録したコンピュータが読み取り可能な記録媒体。
【手続補正２】
【補正対象書類名】明細書
【補正対象項目名】０００７
【補正方法】変更
【補正の内容】
【０００７】
本発明の技術的特徴として、結像光学系の異なる瞳領域を通過した光を受光する複数の画素を配列した撮像素子からの画素信号を用いて、前記異なる瞳領域に対応する複数の焦点検出信号を生成する生成ステップと、前記複数の焦点検出信号に基づいて像ずれ量を算出し、像ずれ量と変換係数からデフォーカス量を検出する検出ステップと、を有する検出方法であって、前記検出ステップでは、前記撮像素子の情報と、前記結像光学系の複数の枠の開口情報と、に基づいて前記変換係数を取得することを特徴とする。